(57)【特許請求の範囲】
【請求項１】
下ユニットと、ヒンジ部により前記下ユニットに対して閉じられた第１の状態、前記下ユニットに対して前記ヒンジ部の回動中心を支点として回動した第２の状態及び前記第２の状態で前記ヒンジ部の回動中心よりも回動端側を支点として回動した第３の状態とに状態変更可能に保持されている上ユニットと、を接続するケーブルが内部に挿通されるケーブルガイドであって、
前記下ユニットに回動自在に取り付けられた第１ガイド部材と、
一端が前記上ユニットに回動自在に取り付けられ、他端が前記第１ガイド部材の回動端に連結された第２ガイド部材と、を備え、
前記上ユニットが前記第１の状態及び前記第２の状態にあるとき前記第１ガイド部材及び前記第２ガイド部材が連結部を支点として折り畳まれた状態となり、前記上ユニットが前記第２の状態から前記第３の状態に変更されるとき伸長するように前記連結部を支点として前記第１ガイド部材及び前記第２ガイド部材が互いに回動し、前記上ユニットに取り付けられた前記第２ガイド部材の一端の前記上ユニットに対する回動中心と前記ヒンジ部の回動中心とを一致させたことを特徴とするケーブルガイド。
【請求項２】
前記ヒンジ部は、前記回動中心を支点として回動し、回動端が前記上ユニットに軸支されたアーム部材を備え、
前記上ユニットは、前記アーム部材と一体的に前記回動中心を支点として前記第１の状態から回動して前記第２の状態となり、前記第２の状態から前記アーム部材の回動端を支点として回動して前記第３の状態となることを特徴とする請求項１記載のケーブルガイド。
【請求項３】
原稿画像を読み取る画像読取部を有した下ユニットである装置本体と、前記装置本体にヒンジ部を介して回動自在に保持され、前記装置本体の原稿画像読取位置に原稿を搬送する上ユニットである原稿搬送装置と、前記装置本体と前記原稿搬送装置とを接続するケーブルが内部に挿通される請求項１又は２記載のケーブルガイドとを備えたことを特徴とする画像読取装置。
【請求項４】
原稿画像を読み取る画像読取部を有した装置本体と、
前記装置本体に回動自在に保持され、前記装置本体の原稿画像読取位置に原稿を搬送する原稿搬送装置と、
前記原稿搬送装置を、前記装置本体に対して閉じられた第１の状態、回動中心を支点として前記装置本体に対して前記第１の状態から回動した第２の状態、及び、前記回動中心よりも前記原稿搬送装置の回動端側を支点として前記第２の状態から回動した第３の状態に状態変更可能に保持すると共に、前記回動中心を支点として回動し、回動端が前記原稿搬送装置に軸支されたアーム部材を備えたヒンジ部と、
前記装置本体と前記原稿搬送装置とを接続するケーブルと、
前記装置本体に回動自在に取り付けられた第１ガイド部材及び一端が前記原稿搬送装置に回動自在に取り付けられ、他端が前記第１ガイド部材の回動端に回動自在に連結された第２ガイド部材を備え、前記ケーブルが内部に挿通されるケーブルガイドと、を備え、
前記ケーブルガイドは、前記原稿搬送装置が前記第１の状態及び前記第２の状態にあるとき前記第１ガイド部材及び前記第２ガイド部材が連結部を支点として折り畳まれた状態となり、前記原稿搬送装置が前記第２の状態から前記第３の状態に変更されるとき伸長するように前記連結部を支点として前記第１ガイド部材及び前記第２ガイド部材が互いに回動し、前記原稿搬送装置に取り付けられた前記第２ガイド部材の一端の前記原稿搬送装置に対する回動中心と前記ヒンジ部の回動中心とを一致させたことを特徴とする画像読取装置。
【請求項５】
請求項４記載の画像読取装置と、前記画像読取装置により読み取られた画像をシートに形成する画像形成部と、を備えたことを特徴とする画像形成装置。
【発明の詳細な説明】
【技術分野】
【０００１】
本発明は、ケーブルガイド、画像読取装置及び画像形成装置に関し、特に原稿搬送装置と、画像読取装置本体とを接続するケーブルが内部に挿通されるケーブルガイドの構成に関する。
【背景技術】
【０００２】
従来、画像読取装置、あるいは画像読取装置を有する電子写真方式のプリンタ、インクジェットプリンタ等の画像形成装置において、画像読取装置本体に対し開閉自在に設けられた原稿搬送装置を具備するものが知られている。そして、シートの画像を読み取る場合は、まず、例えば原稿搬送装置の一例である自動原稿送り装置により、原稿台ガラス上にシートである原稿を搬送する。次に、原稿台ガラスの下方に配された画像読取ユニットを読み取り方向に移動させることにより、原稿に記録された画像を読み取る。
【０００３】
また、ユーザにより原稿台ガラス上に載置された原稿画像を読み取る場合には、まず原稿台ガラス上に原稿を載置した後、自動原稿送り装置によって原稿を押えることにより、原稿を固定する。そして、この状態で画像読取ユニットを読み取り方向に移動させることにより、原稿に記録された画像を読み取る。
【０００４】
ここで、この自動原稿送り装置は、画像読取装置本体の背面側部分に、ヒンジ部を介して開閉自在に連結されている。そして、例えば、原稿台ガラス上に原稿を載置する場合は、図８の（ａ）に示すように自動原稿送り装置１００をヒンジ部１０１により上方回動させた後、画像読取装置本体１０２の上面に取り付けられた原稿台ガラス１０３に原稿Ｄを載置する。次に、図８の（ｂ）に示すように自動原稿送り装置１００を閉じて原稿台ガラス上の原稿Ｄを押え、この後、不図示の画像読取ユニットにより原稿Ｄに記録された画像を読み取る。
【０００５】
このヒンジ部１０１は、画像読取装置本体１０２に設けられた基台２９と、自動原稿送り装置１００に固定される可動部３０と、基台２９に対し可動部３０を、軸３２を介して回動可能に締結する中継アーム３１とを備えている。なお、可動部３０は、軸３３を介して中継アーム３１に回動可能に保持されている。
【０００６】
そして、自動原稿送り装置１００を上方回動させる際、自動原稿送り装置１００は、図８の（ａ）に示すように可動部３０と中継アーム３１が相対的に移動せず、中継アーム３１と一体的に軸３２を中心に、画像読取装置本体１０２に対して反時計方向に回動する。
【０００７】
ところで、例えばブック原稿等の厚物の原稿の画像情報を読み取る場合には、図８の（ｃ）に示すように、ブック原稿等の厚物原稿Ｄ１をプラテンガラス上にセットし、この後、自動原稿送り装置１００を閉じることにより、厚物原稿Ｄ１を押えるようにする。
【０００８】
ここで、厚物の原稿Ｄ１を押さえる場合、自動原稿送り装置１００は、図８の（ａ）に示すように中継アーム３１と一体的に反時計方向に回動した後、可動部３０と一体に中継アーム３１に対して軸３３を支点として時計方向に回動する。この結果、自動原稿送り装置１００は画像読取装置本体１０２に対し、略平行の角度でかつ上方に位置するため、厚物原稿Ｄ１を均一に押さえることができる。
【０００９】
なお、図８において、１２０は自動原稿送り装置１００と画像読取装置本体１０２との間で、信号もしくは電源を伝達するためのケーブルである。このケーブル１２０は自動原稿送り装置１００及び画像読取装置本体１０２の背面に設けられると共に、一端が、画像読取装置本体内部の不図示のコントロール基板に接続され、他端が自動原稿送り装置内部の中継基板に接続されている。
【００１０】
ところで、既述したように自動原稿送り装置１００は画像読取装置本体１０２に対し、回動動作だけでなく上昇動作も行うため、ケーブル１２０には突っ張らない程度の余長が必要とされる。このため、自動原稿送り装置１００と画像読取装置本体１０２とは長めのケーブル１２０で接続されている。
【００１１】
しかし、ケーブル１２０を長くすると、ケーブル１２０が弛むようになり、ケーブル１２０が画像読取装置本体１０２の外部に露出している場合、このようにケーブル１２０が弛むと、ケーブル１２０は背面側に位置するものの、外観上は好ましくない。
【００１２】
また、自動原稿送り装置１００を開閉する際、ケーブル１２０が挟まれて損傷するおそれがあるため、例えばケーブルクランプをつけたり、コネクタの向きを変えたりしているが、このような対策を施す場合、基板配置や配線上の制約が多い。さらに、ケーブル１２０を外部に露出させる場合、ノイズ影響の受けにくいシールド性の高いものを使用する必要があり、このため高価なケーブルを使用しなければならない。
【００１３】
そこで、このような不具合を解消するものとして、ケーブルとしてフラットケーブルを用いると共に、画像読取装置本体１０２と自動原稿送り装置１００にケーブルガイドを設けるようにしたものがある（特許文献１参照）。ここで、このケーブルガイドはチューブ形状を有しており、使用する際は、ケーブルガイドにフラットケーブルをスライド可能に挿通保持するようにしている。
【００１４】
なお、ケーブルガイドにスライド可能に挿通保持されたフラットケーブルは、自動原稿送り装置が閉じられた状態のときには、自動原稿送り装置の内部で、フラットケーブルに過剰なテンションがかからないように弛みを形成するようになっている。また、自動原稿送り装置１００が回動するときにはフラットケーブルは屈曲し、厚物原稿の画像読取を行うため自動原稿送り装置を上方へ移動するときには、フラットケーブルは上下方向にスライドするようになっている。
【００１５】
【特許文献１】特開２００３−２４１４４３号公報
【発明の開示】
【発明が解決しようとする課題】
【００１６】
ところで、このような従来のケーブルガイドを備えた画像読取装置において、自動原稿送り装置の回動動作と上昇動作は単独で起こる動作ではなく、連続して起こり得る動作である。例えば、厚物原稿を読み取る際、自動原稿送り装置１００を開放してプラテンガラス上に厚物原稿Ｄ１を載置した後、自動原稿送り装置１００を閉じるが、この際、自動原稿送り装置１００は、図８の（ａ）の状態から（ｃ）の状態に変化する。
【００１７】
そして、この際、自動原稿送り装置１００は、回動動作と上昇動作を連続して行い、この自動原稿送り装置１００の回動動作と上昇動作により、ケーブルの屈曲及びケーブルのスライドが一連で起こることになる。
【００１８】
しかし、従来のようにチューブ状のケーブルガイドにおいて、弛みを形成した場合、ケーブルを屈曲させながら、スライドさせるという動作をスムーズに行うことができない。また、弛みを形成した場合、自動原稿送り装置を回動した場合、自動原稿送り装置の内壁面に接触してケーブルが損傷するおそれがある。
【００１９】
そこで、本発明は、このような現状に鑑みてなされたものであり、ケーブルを損傷させることなく保持することのできるケーブルガイド、画像読取装置及び画像形成装置を提供すること目的とするものである。
【課題を解決するための手段】
【００２０】
本発明は、下ユニットと、ヒンジ部により前記下ユニットに対して閉じられた第１の状態、前記下ユニットに対して前記ヒンジ部の回動中心を支点として回動した第２の状態及び前記第２の状態で前記ヒンジ部の回動中心よりも回動端側を支点として回動した第３の状態とに状態変更可能に保持されている上ユニットと、を接続するケーブルが内部に挿通されるケーブルガイドであって、前記下ユニットに回動自在に取り付けられた第１ガイド部材と、一端が前記上ユニットに回動自在に取り付けられ、他端が前記第１ガイド部材の回動端に連結された第２ガイド部材と、を備え、前記上ユニットが前記第１の状態及び前記第２の状態にあるとき前記第１ガイド部材及び前記第２ガイド部材が連結部を支点として折り畳まれた状態となり、前記上ユニットが前記第２の状態から前記第３の状態に変更されるとき伸長するように前記連結部を支点として前記第１ガイド部材及び前記第２ガイド部材が互いに回動し、前記上ユニットに取り付けられた前記第２ガイド部材の一端の前記上ユニットに対する回動中心と前記ヒンジ部の回動中心とを一致させたことを特徴とするものである。
【発明の効果】
【００２１】
本発明のように、上ユニットの回動に対して折り畳まれる、あるいは伸長する第１ガイド部材及び第２ガイド部材にケーブルを挿通することにより、ケーブルを損傷させることとなく保持することができる。
【発明を実施するための最良の形態】
【００２２】
以下、本発明を実施するための最良の形態を図面を用いて詳細に説明する。
【００２３】
図１は本発明の実施の形態に係る画像読取装置を備えた画像形成装置の外観斜視図、図２は画像形成装置の構成を示す図である。図１及び図２において、１はカラー画像が形成可能な画像形成装置、１Ａは画像形成装置本体（以下、装置本体という）である。
【００２４】
装置本体１Ａの上部には、上面に原稿載置台としてのプラテンガラス２ａを有するフラットベッド式の画像読取装置であるスキャナ２が設けられている。そして、このスキャナ２は、上部に原稿搬送装置である原稿自動送り装置（ＡＤＦ）５と、例えば自動原稿給送装置５によりプラテンガラス２ａに載置された原稿を読み取る画像読取部２ｂを備えている。
【００２５】
自動原稿給送装置５は、スキャナ本体２Ａに開閉自在に設けられている。また、この自動原稿給送装置５は、プラテンガラス２ａに載置された原稿を押えると共に、画像読取部２ｂが原稿画像を読み取ることができる位置まで自動的に原稿を給送（搬送）するものであり、原稿を載置することができる原稿トレイ４を備えている。
【００２６】
また、スキャナ２の下方には画像形成部１Ｂ、画像形成部１Ｂにシートを給送する給紙部１４が設けられている。画像形成部１Ｂには、矢印方向に回転する感光体ドラム８が設けられ、感光体ドラム８の周囲には１次帯電器９、感光体ドラム８上に形成された静電潜像を現像するトナーが充填されている現像器１０ａ〜１０ｄを内蔵したロータリ現像器１０等が配置されている。
【００２７】
なお、図１において、７はレーザやポリゴンスキャナ等で構成された書き込みユニットであり、後述する所定の画像処理が施された画像信号に基づいて変調されたレーザ光Ｌを感光体ドラム８に照射するものである。
【００２８】
ここで、感光体ドラム８は不図示のモータによって回転しており、１次帯電器９により所望の電位に帯電された後、書き込みユニット７からのレーザ光Ｌが照射されることにより、感光体ドラム８上に静電潜像が形成される。そして、この静電潜像に、ロータリ現像器１０を回転させることにより各現像器１０ａ〜１０ｄ内のトナーが静電的に付着し、これにより感光体ドラム８上にトナー像が形成されるようになっている。
【００２９】
さらに、画像形成部１Ｂには、感光体ドラム８上に順次形成された４色のトナー像が重ねて転写される無端状の転写ベルト１２、転写ベルト１２に転写されたトナー像をシートへ転写する２次転写ローラ１３が設けられている。また、転写ベルト１２を介して感光体ドラム８と対向する位置には、感光体ドラム８上に現像されたトナー像を転写ベルト１２に一次転写する１次転写ローラ８ａが配置されている。
【００３０】
給紙部１４は、装置本体１Ａに着脱自在に設けられ、記録用紙、ＯＨＰシートなどのシートを収容するカセット１４ａと、カセット１４ａに収納されたシートを給送するピックアップローラ１４ｂを備えている。また、マルチ手差し給紙部１４ｃを備えている。
【００３１】
なお、転写ベルト１２と２次転写ローラ１３とにより構成される２次転写部の上流側にはシートの姿勢位置精度を高め、転写ベルト上のトナー像に合わせてシートをタイミングよく送り出すレジストローラ１６が配設されている。また、２次転写部の下流側には、２次転写ローラ１３によりシート上に転写された未定着画像を定着する定着器６、画像が定着されたシートを装置本体外に排出する排出ローラ２０等が配設されている。
【００３２】
次に、このような構成の画像形成装置１の画像形成動作について説明する。
【００３３】
装置本体１Ａに設けられている不図示の制御部から給紙信号が出力されると、例えば自動原稿給送装置５によりプラテンガラス２ａ上の原稿画像読取位置に搬送された原稿に対し、画像読取部２ｂは光を照射することにより原稿画像を読み取る。そして、このようにして読み取られた画像情報は電気信号に変換され、この後、書き込みユニット７から、この電気信号に対応したレーザ光Ｌが矢印方向に回転している感光体ドラム８に向けて照射される。これにより、感光体ドラム上に静電潜像が形成される。
【００３４】
この後、ロータリ現像器１０を回転させて１色目の現像器１０ｄを感光体ドラム８へ接するように移動させ、現像器１０ｄに内蔵されたトナーを静電潜像に静電的に付着させる。これにより、静電潜像が現像され、感光体ドラム８上にトナー像が形成され、さらにこの感光体ドラム８上のトナー像は、１次転写ローラ８ａにより、転写ベルト１２へ１次転写される。
【００３５】
なお、フルカラーの画像を形成する場合には、感光体ドラム８上に形成された１色目のトナー像を転写ベルト１２へ１次転写すると共に、ロータリ現像器１０を回転させ、２色目の現像器１０ａを感光体ドラム８に接するように移動させる。
【００３６】
この後、再度、書き込みユニット７から、転写ベルト上に１次転写されている１色目のトナー像の先端と、感光体ドラム８上に形成される２色目のトナー像の先端とが１次転写ローラ８ａの位置で完全に一致するタイミングでレーザ光Ｌを照射する。これにより、感光体ドラム８上に静電潜像が形成され、この静電潜像を現像器１０ａにより現像してトナー像を形成する。
【００３７】
この後、転写ベルト１２上に１次転写されている１色目のトナー像の上に２色目のトナー像を重ね合わせるように転写する。この重ね合わせを３色目、４色目と繰り返すことにより、転写ベルト１２上に４色フルカラーのトナー像が１次転写される。
【００３８】
一方、給紙カセット１４ａからは、ピックアップローラ１４ｂによってシートが給送され、この後、シートは、給紙ローラ１５によってレジストローラ１６に向けて搬送される。なお、このときレジストローラ１６は停止しており、このように停止しているレジストローラ１６によりシートの斜行が補正される。
【００３９】
この後、転写ベルト１２上のトナー像先端とシート先端とが一致するようにレジストローラ１６が駆動される。これにより、シートは、転写ベルト１２と２次転写ローラ１３とにより構成される２次転写部において、２次転写ローラ１３に印加される転写バイアスによりトナー像が転写される。
【００４０】
つまり、本実施の形態においては、感光体ドラム８上の静電潜像をロータリ現像器１０の回転により、現像器１０ａ〜１０ｄを、その都度切り替える行程を必要色の分繰り返すことで各色現像し、その都度中間転写ベルト１２の上にトナー像を１次転写する。そして、必要色、中間転写ベルト１２上に画像を重ね合わせた後、２次転写部に搬送してトナー像をシートに転写する。
【００４１】
次に、このようにトナー像が転写されたシートは、定着器６に搬送され、定着器６によって加圧・加熱されることにより、トナー像が定着される。この後、シートは内排出ローラ１８、排出ローラ２０によって装置本体１Ａから排紙トレイ２１に排出される。
【００４２】
なお、本画像形成装置１は、ストレート排紙モード、反転排紙モード、両面モードを備えており、ストレート排紙モードが選択された場合、シートは分岐部１９を通過し、排紙ローラ２０へと向かい、排出トレイ２１へ排出される。
【００４３】
また、反転排紙モードが選択された場合は、シートは、まず不図示の切換え部材の切り換えにより、分岐部１９から反転ローラ２２の方向へと進む。そして、この後、シートは、後端が分岐部１９を通過し終えたところで、反転ローラ２２の逆転により、後端を先端側に向けた状態で排紙ローラ２０へと搬送され、排出トレイ２１へ排出される。
【００４４】
また、両面モードが選択された場合には、反転排紙モード同様、シートは、まず分岐部１９から反転ローラ２２方向へと向かう。次に、分岐部２３を通過した後、反転部２４でスイッチバックし、両面パス２５へと搬送される。そして、この後、シートは１面目と同様にして画像が形成され、ストレート排紙と同様に排出トレイ２１へ排出される。
【００４５】
ところで、自動原稿給送装置５はスキャナ２の装置本体であるスキャナ本体２Ａに対し、図３及び図４に示すようにヒンジ部２７，２８により回動自在に保持されている。
【００４６】
ここで、一方のヒンジ部２７は、図５に示すようにスキャナ本体２に固定された基台２９と、自動原稿給送装置５に固定され、自動原稿給送装置５を回動可能とする可動部３０と、基台２９と可動部３０を回動可能に締結する中継アーム３１とを備えている。このアーム部材である中継アーム３１は、一端を固定端とし、基台２９に対し、ヒンジ部２７の回動中心である軸３２を支点として回動可能に設けられている。また、この中継アーム３１の他端（回動端）は、軸３３を介して可動部３０（自動原稿給送装置５）に軸支されている。なお、他方のヒンジ部２８も同一構成である。
【００４７】
図５は自動原稿給送装置５がスキャナ本体２Ａに対して閉じられた第１の状態を示している。また、図６の（ａ）は自動原稿給送装置５をスキャナ本体２Ａに対し開放した様子を示しており、このとき、自動原稿給送装置５はヒンジ部２７の回動中心である軸３２を中心に回動する。
【００４８】
つまり、自動原稿給送装置５を開放すると、可動部３０と中継アーム３１が相対的に移動せずに一体となった状態で中継アーム３１が回動し、これにより自動原稿給送装置５は回動中心である軸３２を中心に反時計方向に基台２９に対して回動する。なお、例えば可動部３０には、中継アーム３１の上面に係止する不図示の係止部が設けられており、この不図示の係止部により、自動原稿給送装置５は可動部３０を介して中継アーム３１と一体に回動する。
【００４９】
なお、図６の（ａ）に示す第２の状態から図５に示す状態に移動する際も同様で、可動部３０と中継アーム３１が相対的に移動せずに一体となった状態で、自動原稿給送装置５は軸３２を中心に時計方向に基台２９に対して回動する。
【００５０】
一方、既述した図８の（ｃ）に示すようなブック等の厚物原稿を押さえるとき、自動原稿給送装置５は図６の（ａ）から、回動端側を支点として回動し、図６の（ｂ）に示す第３の状態に移動する。このとき、ヒンジ部２７においては、可動部３０が、反時計方向に回動した状態の中継アーム３１に対し、ヒンジ部２７の回動中心よりも回動端側に位置する軸３３を支点として矢印に示す時計方向に回動する。
【００５１】
そして、このように中継アーム３１が反時計方向に回動した状態で、可動部３０が中継アーム３１に対して時計方向に回動すると、自動原稿給送装置５はスキャナ本体２Ａに対し、略平行の角度でかつ上方に位置する。この結果、自動原稿給送装置５は厚物原稿を均一に押さえることができる。
【００５２】
ところで、図５及び図６において、４０は下ユニットであるスキャナ本体２Ａと、スキャナ本体２Ａにヒンジ部２７，２８を介して回動自在に保持されている上ユニットである自動原稿給送装置５とを電気的に接続する、例えばフラット形状のケーブルである。
【００５３】
また、３５はケーブル４０が内部に挿通されるケーブルガイドであり、このケーブルガイド３５は、第１ガイド部材３４と、第２ガイド部材３６とを備えている。ここで、第１ガイド部材３４は、内部にケーブル４０が挿入できるよう中空形状を有しており、また一端部は軸部３４ａを介してスキャナ本体２Ａに回動可能に支持されている。第２ガイド部材３６は、第１ガイド部材３４と同様、内部にケーブル４０が挿入できるよう中空形状を有しており、また一端部は軸部３６ａを介して自動原稿給送装置５の可動部３０の内側に設けられた不図示のリブにより回動可能に支持されている。
【００５４】
さらに、例えば第２ガイド部材３６の回動端には軸３７が設けられ、第１ガイド部材３４の回動端には、図７に示すように、第２ガイド部材３６の軸３７と係合する係合孔３４ｂが形成されている。そして、第２ガイド部材３６の回動端に設けられた軸３７を第１ガイド部材３４の回動端に設けられた係合孔３４ｂに係合することにより、第１ガイド部材３４及び第２ガイド部材３６は、軸３７を支点として折り畳み及び伸長可能に連結される。
【００５５】
また、ケーブル４０は、第１ガイド部材３４及び第２ガイド部材３６の内部に挿通されると共に、一端がスキャナ本体２Ａ（もしくは装置本体１Ａ）の内部にて不図示のコントロール基板に接続される。また、ケーブル４０の他端は、自動原稿送り装置５の内部にて不図示の中継基板に接続される。
【００５６】
ところで、第１ガイド部材３４及び第２ガイド部材３６は、図５に示すように自動原稿給送装置５が閉じられた第１の状態のとき及び図６の（ａ）に示すように自動原稿給送装置５が開かれた第２の状態のとき、連結部分で折り畳まれた状態となる。また、第１及び第２ガイド部材３４，３６は、図６の（ｂ）に示す自動原稿給送装置５がスキャナ本体２Ａに対し略平行の角度でかつ上方に位置する第３の状態の時、自動原稿給送装置５により第２ガイド部材３５が引っ張られることにより伸長した状態となる。
【００５７】
ここで、本実施の形態において、第２ガイド３６が自動原稿給送装置５に対して回動可能に取り付けられる固定端に設けられた軸３６ａは、ヒンジ部２７の回動中心である軸３２と一致するよう軸３２と同一軸線上に配置されている。このため、図５及び図６の（ａ）に示すように、自動原稿給送装置５を開放あるいは閉じる場合、第１ガイド３４及び第２ガイド３６は移動しない。したがって、自動原稿給送装置５を開閉動作させても、ケーブルガイド３５に挿通されているケーブル４０は全くストレスを受けない。
【００５８】
また、ブック等の厚物原稿を押さえるとき、状態変更可能な自動原稿給送装置５は図６の（ａ）に示す第２の状態から図６の（ｂ）に示す第３の状態に移動する。このとき、自動原稿給送装置５はスキャナ本体２Ａに対して相対的に離れてしまうため、スキャナ内部のコントロール基板と自動原稿給送装置内の中継基板の距離が離れる。
【００５９】
しかし、このように自動原稿給送装置５がスキャナ本体２Ａから離れた場合、自動原稿給送装置５により第１ガイド部材３４がひっぱられ、それまで折り畳まれていた第１及び第２ガイド部材３４，３６が軸３７を支点として図６の（ｂ）に示すように伸長する。ここで、第１及び第２ガイド部材３４，３６が伸長する際、内部に挿通されているケーブル４０は、第１及び第２ガイド部材３４，３６と一体的に移動する。
【００６０】
そして、このようにケーブル４０が、第１及び第２ガイド部材３４，３６と一体的に移動するようにすることにより、ケーブル４０を自動原稿給送装置５及びスキャナ本体２Ａの内部に配線したとしても、ケーブル４０が挟まれることはない。
【００６１】
以上説明したように、第２ガイド部材３６の固定端を、ヒンジ部２７の軸３２と一致させることにより、第１及び第２ガイド部材３４，３６を、自動原稿給送装置５の開閉動作、上昇動作といった動作に対して折り畳み及び伸長により対応させることができる。そして、このような第１及び第２ガイド部材３４，３６にケーブル４０を挿通することにより、ケーブル４０は、弛みを形成するまでもなく、屈曲及びスライドが可能となり、ケーブル４０の安全を確実に保証することができる。
【００６２】
このように、自動原稿給送装置５の回動に対して折り畳まれる、あるいは伸長する第１及び第２ガイド部材３４，３６にケーブル４０を挿通することにより、ケーブル４０を損傷させることとなく保持することができる。
【００６３】
また、ケーブル４０を第１及び第２ガイド部材３４，３６の内部に挿通することにより、ケーブル４０は外に出ることはなく、外観を損ねることはない。さらに、外に出ないため、ケーブル４０はシールドタイプのものを使用する必要がなくなるので、フラットケーブルや細線ケーブルといった安価なケーブルが使用可能となる。
【００６４】
なお、本実施の形態では、第１ガイド部材３４と第２ガイド部材３６は、その略中間部で折り畳む構成としたが、折れ曲がる節は１箇所に限らない。例えば第１ガイド部材３４と第２ガイド部材３６との間に、中間ガイド部材を設けることにより、２箇所、もしくはそれ以上の節を形成するようにしても良い。
【図面の簡単な説明】
【００６５】
【図１】本発明の実施の形態に係る画像読取装置を備えた画像形成装置の外観斜視図。
【図２】上記画像形成装置の構成を示す図。
【図３】上記画像読取装置であるスキャナのスキャナ本体に開閉自在に設けられた自動原稿給送装置を開放した状態を示す斜視図。
【図４】上記自動原稿給送装置を閉じたときの状態を示す斜視図。
【図５】上記スキャナ本体に設けられ、自動原稿給送装置を回動自在に保持するヒンジ部の構成を説明する図。
【図６】上記自動原稿給送装置を回動したときのヒンジ部の状態を示す図。
【図７】上記スキャナ本体と自動原稿給送装置との間に設けられたケーブルガイドの構成を説明する斜視図。
【図８】従来のヒンジ部の構成及び動作を説明する図。
【符号の説明】
【００６６】
１      画像形成装置
１Ａ    画像形成装置本体
２      スキャナ
２Ａ    スキャナ本体
２ｂ    画像読取部
５      原稿自動送り装置
２７，２８  ヒンジ部
２９    基台
３０    可動部
３１    中継アーム
３２    軸
３４    第１ガイド部材
３５    ケーブルガイド
３６    第２ガイド部材
３６ａ  軸部
４０    ケーブル
【図１】
0005188213.tif 000002
【図２】
0005188213.tif 000003
【図３】
0005188213.tif 000004
【図４】
0005188213.tif 000005
【図５】
0005188213.tif 000006
【図６】
0005188213.tif 000007
【図７】
0005188213.tif 000008
【図８】
0005188213.tif 000009